(57)【要約】容器と、１以上の使い捨て洗浄用具と、商品と関連付けられた一組の視覚的指示とを含む商品が提供される。一組の視覚的指示は、小児が文字を読めない場合に小児が理解して従うことが可能な形態のものである。文字を読めない小児に、自身を洗うことを教える方法もまた提供される。
2006514865.tif 000002
【特許請求の範囲】
【請求項１】
（ａ）以下を収容する容器と；
（ｂ）パーソナルケア組成物を放出可能に保持する少なくとも１つの使い捨て洗浄用具と；を含む商品であって、前記商品がさらに、
（ｃ）前記商品と関連付けられた一組の視覚的指示であって、小児が前記洗浄用具を使用して自身を洗うことについての指示を含み、前記小児が文字を読めない場合に前記小児が理解して従うことが可能な形態の一組の視覚的指示、を含む商品。
【請求項２】
前記一組の視覚的指示の少なくとも一部が前記洗浄用具上にある、請求項１に記載の商品。
【請求項３】
前記一組の視覚的指示が前記不織布小児用洗浄ミットを前記小児の手にはめるという指示をさらに含む、請求項１に記載の商品。
【請求項４】
前記一組の視覚的指示が、写真、図面、まんが、記号及びこれらの組み合わせの形態である、請求項１〜３のいずれか一項に記載の商品。
【請求項５】
前記一組の視覚的指示が一連の連続したパネルであり、前記パネルのそれぞれが異なるまんがを包含する、請求項１〜４のいずれか一項に記載の商品。
【請求項６】
前記一組の視覚的指示の少なくとも一部が前記容器上にある、請求項１〜５のいずれか一項に記載の商品。
【請求項７】
前記一組の視覚的指示の少なくとも一部が前記不織布小児用洗浄ミット上にある、請求項１〜６のいずれか一項に記載の商品
【請求項８】
前記一組の視覚的指示が、前記小児が自身を洗う前又はその最中に、前記不織布小児用洗浄ミットに石鹸の泡を塗ること、及び前記小児が自身を洗った後に前記不織布小児用洗浄ミットを捨てることの指示をさらに含む、請求項１〜７のいずれか一項に記載の商品。
【請求項９】
文字を読めない小児に自身を洗うことを教える方法であって：
前記小児に、
（Ａ）以下を収容する容器；
（Ｂ）パーソナルケア組成物を放出可能に保持する少なくとも１つの使い捨て洗浄用具；及び
（Ｃ）前記商品と関連付けられた一組の視覚的指示であって、前記小児が前記洗浄用具を使用して自身を洗うことについての指示を含み、前記小児が文字を読めない場合に前記小児が理解して従うことが可能な形態の一組の視覚的指示、を含む商品を提供する工程を含む方法。
【請求項１０】
前記一組の視覚的指示が、前記ミットを前記小児の手にはめること、及び前記小児の手にはめた前記ミットで前記小児が自身を洗うことの指示を含む、請求項９に記載の方法。
【発明の詳細な説明】
【技術分野】
【０００１】
（著作権情報）
本特許明細書の開示の一部は、著作権及び／又は商標保護の制約下にある要素を包含する。著作権及び商標の所有者は、特許商標局の特許ファイル又は記録に記されている、特許明細書又は特許の開示のいかなる者による複製に対しても、意義を申立てないが、その他の場合は、すべての著作権及び商標権を有する。
【０００２】
（発明の開示）
本発明は、容器、１以上の使い捨て洗浄用具、及び商品に関連付けられた一組の視覚的指示を含む商品を対象とする。一組の視覚的指示は、小児が文字を読めない場合に小児が理解して従うことのできる形態のものである。文字を読めない小児に自身を洗うことを教える方法もまた提供される。
【背景技術】
【０００３】
入浴中、世話をする人は、通常は小児を洗うためだけではなく、入浴、洗浄及び多様なパーソナルケア製品を使用する方法を指示するためにもいる。小児が自分で入浴することを始める年齢は、心理的な要因、生理学上の要因、及び個々の小児に特有の要因など、多くの要因によって左右される。典型的には、これは小児が文字を読むことを習得する前である。
【０００４】
このことは、成人と異なり、自分で入浴し始める小児は通常パーソナルケア製品上の指示を読むことができないという、独自の問題を提示する。これは、世話をする人が常に干渉して、いずれか特定のパーソナルケア製品を、どのように、どこで使用するかを小児に指示することを意味する。パーソナルケア製品を、小児が良く知らないものに変えることで、追加の指示を与える必要が生じ、世話をする人のみが小児を洗う状況に逆行することにつながる可能性がある。
【０００５】
小児が指示を読めないことは、多くの問題につながり得る。そのような問題の１つは、小児が固形石鹸を使って毛髪を洗う、又はシャンプーで体を洗うなど、製品の誤った使用である。別の問題は、小児が製品を使いすぎることである。１回の入浴で悪意のない小児がどんどん泡を立てたい一心で泡立て入浴剤のボトルを空にしないまでも、大量に使うということは、世話をする人には経験しないことである。
【０００６】
また、常に監視していないと、問題の小児は単に自身を適切に又は完全に洗うことができないことがある。小児が、自分の毛髪を洗ったり、耳の後ろなどをきれいにしたりできないかもしれないというのは、そのように特に指示されていても、予測できない。このように完全にきれいにできないということは、実際には、小児がその体のほとんどの部分を洗っていても、小児を確実にきれいにするためだけに世話をする人が小児を再び洗う必要がある、ということを意味する。
【０００７】
さらに、その年齢の小児は、プライバシー及び自立を求める。これは、小児が、以前はドアが開いていても気に留めなかったのに、風呂場のドアを閉める場合に示されることがある。世話をする人が小児を手伝う必要がある場合、入浴過程の妨げになるかもしれない小児の感情の葛藤がおこり得る。
【０００８】
そこで、小児と世話をする人の双方にとって、特に文字が読めない小児にとって、入浴は多くの局面を伴うことが予測できる。それらの局面は、複数の小児に違う形で影響することがあり、又はある小児にとっては要因にならないかもしれない。個々の小児がこのように独特であることで、小児と世話をする人の双方にとって大きな課題が提示される。これらの局面で上手く行かないものがある場合には、多数の失敗及び欲求不満によって小児が入浴し適切な洗い方を習得していくことを、不必要に遅らせる可能性がある。
【発明の開示】
【発明が解決しようとする課題】
【０００９】
書かれた指示を読めない小児が使用でき、取り扱いが容易であって利用方法を小児が容易に理解できる、入浴又は（単数もしくは複数の）洗浄用製品、又はシステムが存在しないという問題が残っている。
【課題を解決するための手段】
【００１０】
本発明の第１の態様では、
（ａ）以下を収容する容器と；
（ｂ）パーソナルケア組成物を放出可能に保持する少なくとも１つの使い捨て洗浄用具と；
（ｃ）商品と関連付けられた一組の視覚的指示であって、小児が洗浄用具を使用して自身を洗うことについての指示を含み、前記小児が文字を読めない場合に前記小児が理解して従うことが可能な形態の一組の視覚的指示と、を含む商品を提供する。
【００１１】
本発明の第２の態様では、
（ａ）以下を取り外し可能に収容する容器と；
（ｂ）小児の手にはめるのに適合した、パーソナルケア組成物を放出可能に保持する少なくとも１つの使い捨て不織布小児用洗浄ミットと；
（ｃ）容器と関連付けられた一組の視覚的指示であって、不織布小児用洗浄ミットを小児の手にはめること、及び手にはめた不織布小児用洗浄ミットを使って小児が自身を洗うことの指示を含み、小児が文字を読めない場合に小児が理解して従うことができる形態である、一組の視覚的指示と
を含む商品を提供する。
【００１２】
本発明の第３の態様では、文字を読めない小児に自身を洗うことを教え、
（ａ）以下を取り外し可能に収容する容器と；
（ｂ）パーソナルケア組成物を放出可能に保持する少なくとも１つの使い捨て洗浄用具と；
（ｃ）商品と関連付けられた一組の視覚的指示であって、小児が前記洗浄用具を使用して自身を洗うことの指示を含み、前記小児が文字を読めない場合に前記小児が理解して従うことが可能な形態の一組の視覚的指示と
を含む商品を小児に提供する。
【００１３】
引用されるすべての文献は、その関連部分において本明細書に組み込まれる。いずれの文献の引用もそれが本発明に関連する先行技術であることの容認として解釈されるべきではない。本明細書全体にわたって提示されるあらゆる限界が、場合によってはさらに低い又はさらに高いあらゆる限界を、こうしたさらに低い又はさらに高い限界が本明細書に明確に記載されたかのように含むということが、理解されるべきである。本明細書全体にわたって提示されるあらゆる範囲は、そのような広い範囲内に入るあらゆるさらに狭い範囲を、こうしたさらに狭い範囲がすべて本明細書に明確に記載されたかのように含む。特に指定しない限り、すべてのパーセント、比率、及び割合は重量基準であり、すべての温度は摂氏温度（℃）である。すべての測定値は、特に指定しない限りＳＩ単位によるものである。
【発明を実施するための最良の形態】
【００１４】
添付図面と併せて本発明の以下の説明を参照することによって、本発明の上述の及び他の特徴並びに目的、またそれらを獲得するための方法はより明白になり、また本発明自体がより良く理解されるであろう。
【００１５】
本発明の商品及び方法は、小児が自身を洗うための使用に好適である。使用の簡便性及び単純な使用方法により、非常に低年齢の小児が、個々の範囲で、本発明を用いて自身を洗うことができる。
【００１６】
（定義）
本明細書で使用するとき、略語「ｇｓｍ」は、「１平方メートル当りのグラム数」を意味する。
【００１７】
本明細書で使用するとき、「使い捨て」は、限定された回数使用した後、好ましくは２回以下、より好ましくは約１回完全に使用した後、処分又は廃棄される商品を意味するような通常の意味で用いる。
【００１８】
用語「放出可能に保持する」は、組成物が使い捨て洗浄用具内及び／又はその上に包含され、水を加えることによって、及び／又は、例えば洗剤を絞り出す、小児を軽くこする、あるいは使い捨て洗浄用具を部分的に又は全体を水に浸すなど、何らかの力を加えることによって、使い捨て洗浄用具からその組成物が容易に放出可能であることを意味する。
【００１９】
本明細書で使用するとき、用語「文字を読むことができない」は、第三者の助けなしに小児の話すことができる言語で書かれた指示を正しく理解し、把握し、及び従うことができないことを意味する。小児が文字を認識し、及び／又は１つもしくは２つの分離した単語を読むことができる能力でも、彼らが助けなしにそのように書かれた指示を理解し、把握し、及び従うことができないことから、やはり小児が「文字を読むことができない」ことを意味する。しかしながら、この「文字を読むことができない」の定義は、小児が、図面、記号、身振り、まんがなどの形態で示された視覚的指示を理解し、把握し、及びそれに従うことができることを除外するものではない。
【００２０】
本明細書で使用するとき、「第三者」は、小児以外の人間、例えば小児が文字で書かれた指示を正しく理解し、把握し、及びそれに従うことができるように十分に助けることができる、成人又は小児を意味する。
【００２１】
本明細書で使用するとき、用語「含む」は、本発明を実施する際に多様な構成要素、成分、又は工程を組み合わせて使用できることを意味する。したがって、用語「含む」は制約がなく、「から本質的になる」及び「からなる」というより限定的な用語を包含する。他の用語は、本明細書でより詳細に検討する際に定義されてもよい。
【００２２】
（商品）
本発明の一実施形態では、商品が提供される。本発明の商品は、典型的には（ａ）本明細書に記載される容器と、（ｂ）本明細書に記載される少なくとも１つの使い捨て洗浄用具と、（ｃ）やはり本明細書に記載される一組の視覚的指示と、を包含する。
【００２３】
（ａ）容器
本発明の商品は容器を包含する。容器は、少なくとも１つの使い捨て洗浄用具を取り外し可能に保持することができる、いかなる好適な容器であってもよい。容器は、例えば以下であるがこれらに限定されないいかなる好適な材料から作成してもよい：キャンバス、麻布、綿、紙、厚紙などであるがこれらに限定されない天然材料；アクリレート、天然及び合成ゴム類、ポリウレタン類、ポリビニルアルコール、ポリエチルビニルアルコール、ポリエステル類などがあるがこれらに限定されないプラスチック類（ポリエチレンテレフタレート（ＰＥＴ）を含むがこれに限定されない）、ポリスチレン類、ポリオレフィン類（ポリプロピレン、高密度ポリエチレンなどであるがこれらに限定されない）、及びプラスチック類の組み合わせ（積層体などであるがこれらに限定されない）；金属類；キャンバス、紙又は厚紙、金属ホイル、ポリビニルアルコール、ポリエチルビニルアルコールポリエチレン、及び／又は紙などであるがこれらに限定されない積層体；木材；及びこれらの組み合わせなどである。容器本体の多様な部分は、同じ又は異なる材料で作成されても良い。容器はまた、材料の混合物で作成されてもよい。
【００２４】
本発明の容器は、剛体であってもよく、又は半剛体であってもよい。通常は、容器は使い捨て洗浄用具を貯蔵するための部分を有する。貯蔵部分の寸法は、使い捨て洗浄用具の寸法、最初に容器内に存在する使い捨て洗浄用具の数、小児による使い易さなど、多数の、しかしこれらに限定されない要因によって決まる。この貯蔵部分には、使い捨て洗浄用具の寸法に対して適切な寸法の開口又はオリフィスを通して、いずれかの適切な様式アクセスしてもよい。
【００２５】
容器の開口又はオリフィスは、例えば以下：蓋；再密閉可能な開口、例えば（しかしこれらに限定されない）再密閉可能なラベル、ジッパー、「ジップロック（ZIP-LOCK）」タイプのファスナなどのタング・グローブ式ファスナ（grove fasteners）、ベルクロ（VELCRO）（登録商標）などのフック・ループ式ファスナ、ボタン、スナップ、フックなどによって被覆されてもよいが、これらに限定されない。
【００２６】
本発明の商品に有用な容器としては、ＰＥＴ槽（PET tub）、フローラップパウチ、個々に包装された使い捨て洗浄用具用の切込みの入った袋、及び組成物を放出可能に保持する不織布商品に好適な、当業者にとって既知の他の包装が挙げられるが、これらに限定されない。
【００２７】
本発明の一実施形態では、本発明の使い捨て洗浄用具は、水密、耐水性、防水性などである容器内に保存されて、いずれかの使い捨て洗浄用具が容器内にあるときに、不用意に水と接触する可能性を低減する。さらに、容器はまた、複数ではなく個々の使い捨て洗浄容器を取り除くのを容易にするように製造されることもできる。
【００２８】
本発明の任意の一実施形態では、容器はまた、例えば浴槽の側面、シャワーヘッドや蛇口などの浴室の備品上に、又は浴室の壁に直接容器を保持することができる、フック、吸着カップなどを含んでもよい。
【００２９】
容器は、例えば真空成形、射出成形、又はいずれか好適なプロセスで製造することができる。
【００３０】
図１は、１つの代表的な容器９０の図である。１以上の使い捨て洗浄用具を収容する容器９０の内部は、ジッパー式開口８０を通してアクセスされる。代替実施形態では、容器は、特にキャラクターが一組の視覚的指示の中に存在する場合に、キャラクターの形状をしていてもよい。キャラクター及び視覚的指示は、本明細書により詳細に説明され、記載される。
【００３１】
容器上の追加の情報、並びに追加の任意の容器の構成要素としては：容器本体；蓋；蓋の連結、ヒンジ、ジッパー、固定手段などであるがこれらに限定されない、容器の機構；及び以下：米国意匠特許第４５１，２７９号（チン（Chin）、２００１年１２月４日発行）；同第４３７，６８６号（バルザー（Balzer）、２００１年２月２０日発行）；同第４４３，５０８号（ブラーテン（Braaten）、２００１年６月１２日発行）；同第４４３，４５１号（バック（Buck）、２００１年６月１２日発行）；同第４２１，９０１号（ヒル（Hill）、２０００年３月２８日発行）；同第４２１，９０２号（ヒル（Hill）、２０００年３月２８日発行）；同第４１６，７９４号（コーマック（Cormack）、１９９９年１１月２３日発行）；同第４１４，６３７号（アマンドソン（Amundson）、１９９９年１０月５日発行）；同第４４５，３２９号（ゼトホフ（Zethoff）、２００１年７月２４日発行）；米国特許第３，９８２，６５９号（ロス（Ross）、１９７６年９月２６日発行）；同第３，９６７，７５６号（バリッシュ（Barish）、１９７６年７月６日発行）；同第３，９８６，４７９号（ボーデッカー（Boedecker）、１９７６年１０月１９日発行）；同第３，９９４，４１７号（ボーデッカー（Boedecker）、１９７６年１１月３０日発行）；同第６，２６９，９７０号（ファング（Huang）、２００１年８月７日発行）；同第５，７８５，１７９号（バツウィンスキー（Buczwinski）、１９９８年７月２８日発行）；同第５，３６６，１０４号（アームストロング（Armstrong）、１９９４年１１月２２日発行）；同第５，３２２，１７８号（フーズ（Foos）、１９９４年６月２１日発行）；同第５，０５０，７３７号（ジョシルン（Josyln）、１９９１年９月２４日発行）；同第４，９７１，２２０号（カウフマン（Kaufman）、１９９０年１１月２０日発行）；同第６，２９６，１４４号（タナカ（Tanaka）、２００１年１０月２日発行）；同第６，３１５，１１４号（ケック（Keck）、２００１年１１月１３日発行）；同第４，８４０，２７０号（カプト（Caputo）、１９８９年６月２０日発行）；同第４，４７１，８８１号（フォスター（Foster）、１９８４年９月１８日発行）；同第５，６４７，５０６号（ジュリウス（Julius）、１９９７年７月１５日発行）；同第６，４０１，９６８号（ファング（Huang）、２００２年６月１１日発行）；同第６，２６９，９６９号（ファング（Huang）、２００１年８月７日発行）；同第６，４１２，６３４号（テレスカ（Telesca）、２００２年７月２日発行）；同第５，７９１，４６５号（ニキ（Niki）、１９９８年８月１１日発行）；同第６，０９２，６９０号（ビトウフト（Bitowft）、２０００年７月２５日発行）；同第６，０９２，６９０号（ビトウフト（Bitowft）、２０００年７月２５日発行）；米国特許出願公開第２００２／００６４３２３号（チン（Chin）、２００２年５月３０日発行）；ＰＣＴ国際公開特許ＷＯ００／２７２６８（２０００年５月１８日発行、プロクター・アンド・ギャンブル社（The Procter & Gamble Co.）に譲渡）；ＰＣＴ国際公開特許ＷＯ０２／１４１７２（２００２年２月２１日発行、プロクター・アンド・ギャンブル社（The Procter & Gamble Co.）に譲渡）；及びＰＣＴ国際公開特許ＷＯ９９／５５２１３（１９９９年１��月４日発行、プロクター・アンド・ギャンブル社（The Procter & Gamble Co.）に譲渡）、の米国特許に見出すことができるものなどが挙げられるが、これらに限定されない。
【００３２】
（ｂ）使い捨て洗浄用具
図２を参照すると、本発明に従った、使い捨て洗浄用具１０の可能な一実施形態が図示されている。使い捨て洗浄用具１０は、第１の表面３０、及び対向する第２の表面４０を有する不織布シート部材を含む。
【００３３】
使い捨て洗浄用具１０はまた、パーソナルケア組成物５０を含む。使い捨て洗浄用具１０は、その第１の表面３０に、パーソナルケア組成物５０を放出可能に保持している。本発明の一実施形態では、パーソナルケア組成物は、使い捨て洗浄用具１０の、例えば第１の表面３０などであるがそれに限定されない一部分に、縞、点、幾何学的パターン、非幾何学的パターンの形態で、又は不規則な分布で存在してもよい。代替実施形態では、パーソナルケア組成物５０は、使い捨て洗浄用具１０の第１の表面３０全体に存在してもよい。別の代替実施形態では、図示されていないが、パーソナルケア組成物は、使い捨て洗浄用具の内部、及び／又は使い捨て洗浄用具の第１の表面の内部に存在してもよい。
【００３４】
図２において、使い捨て洗浄用具１０の第１の表面３０はパーソナルケア組成物５０を放出可能に保持しているものの、本発明の別の実施形態では、使い捨て洗浄用具１０の対向する第２の表面４０が、パーソナルケア組成物を放出可能に保持してもよいことが、理解されるべきである。使い捨て洗浄用具のどの表面がパーソナルケア組成物を放出可能に保持するかについて、制限はない。使い捨て洗浄用具のすべての表面がパーソナルケア組成物を放出可能に保持することもさらに可能である。さらに、パーソナルケア組成物は、使い捨て洗浄用具がそれを放出可能に保持する限り、使い捨て洗浄用具のいずれの表面及び／又は内部に保持されていてもよい。
【００３５】
任意の一実施形態では、使い捨て洗浄用具は、使い捨て不織布小児用洗浄ミットなどの小児用洗浄ミットであり、第１及び第２の補完的な不織布シート部材を含む。そのような小児用洗浄ミットの非限定的な例を、図３及び図４に見出すことができる。
【００３６】
図３において、本発明に従った、不織布小児用洗浄ミット１１０の可能な一実施形態が図示されている。ミット１１０は、外側表面１３０、内側表面、上縁部１５０、下縁部１６０、第１の側縁部１７０及び第２の側縁部１８０を有する第１の不織布シート部材１２０を含む。第１の不織布シート部材１２０は、重なり合う関係にあるほぼ補完的な第２の不織布シート部材と共に、開口１９０を介してユーザ（即ち、小児）の手が入る、内部の容積を画定する。
【００３７】
ミット１１０の内部の容積は、小児の親指用の１つの部分１４０と小児の手の残り用の１つの部分１４５との、２部分に分割される。
【００３８】
ミット１１０はまた、パーソナルケア組成物１９５も含む。第１の不織布シート部材１２０は、その外側表面１３０に、パーソナルケア組成物１９５を放出可能に保持する。本発明の一実施形態では、パーソナルケア組成物は、例えば外側表面１３０などであるがそれに限定されない第１の不織布シート部材１２０の一部分上に、縞、点、幾何学的パターン、非幾何学的パターンの形状、又は不規則な分布で存在してもよい。代替実施形態では、パーソナルケア組成物１９５は、第１の不織布シート部材１２０の外側表面１３０全体に存在してもよい。別の代替実施形態では、図示していないが、パーソナルケア組成物は、第１の不織布シート部材の内部、及び／又は不織布部材の外側表面に存在してもよい。
【００３９】
図３では、第１の不織布シート部材１２０の外側表面１３０が、パーソナルケア組成物１９５を放出可能に保持しているものの、本発明の別の実施形態では、第２の不織布シート材料が、パーソナルケア組成物を放出可能に保持していてもよいことが、理解されるべきである。第１の不織布シート部材及び第２の不織布シート部材のいずれがパーソナルケア組成物を放出可能に保持するかについて、制限はない。第１及び第２の不織布シート部材の両方が、パーソナルケア組成物を放出可能に保持することも可能である。さらに、パーソナルケア組成物は、不織布部材がそれを放出可能に保持する限り、不織布部材の外側表面、内部及び／又は内側表面に保持されていてもよい。
【００４０】
図４を参照すると、本発明に従った、ミット２１０の別の可能な実施形態が示されている。ミット２１０は、外側表面２３０、内側表面、上縁部２５０、下縁部２６０、第１の側縁部２７０及び第２の側縁部２８０を有する第１の不織布シート部材２２０を含む。第１の不織布部材２２０は、重なり合う関係にある補完的な第２の不織布シート部材と共に、開口２４０を介してユーザの手が入る、内部の容積を画定する。
【００４１】
ミット２１０はまた、パーソナルケア組成物２９０を含む。第１の不織布シート部材２２０は、その外側表面２３０にパーソナルケア組成物２９０を放出可能に保持する。本発明の一実施形態では、パーソナルケア組成物は、例えば外側表面２３０などであるがそれに限定されない第１の不織布シート部材２２０の一部分上に、縞、点、幾何学的パターン、非幾何学的パターンの形状、又は不規則な分布で存在してもよい。代替実施形態では、パーソナルケア組成物２９０は、第１の不織布シート部材２２０の外側表面２３０全体に存在してもよい。別の代替実施形態では、図示していないが、パーソナルケア組成物は、第１の不織布シート部材の内部、及び／又は不織布シート部材の外側表面に存在してもよい。
【００４２】
図４では、第１の不織布シート部材２２０の外側表面２３０が、パーソナルケア組成物２９０を放出可能に保持しているものの、本発明の別の実施形態では、第２の不織布シート材料が、パーソナルケア組成物を放出可能に保持していてもよいことが、理解されるべきである。第１の不織布シート部材及び第２の不織布シート部材のいずれがパーソナルケア組成物を放出可能に保持するかについて、制限はない。第１及び第２の不織布シート部材の両方が、パーソナルケア組成物を放出可能に保持することも可能である。さらに、パーソナルケア組成物は、不織布部材がそれを放出可能に保持する限り、不織布部材の外側表面、内部及び／又は内側表面に保持されていてもよい。
【００４３】
本発明の一選択肢では、本発明の使い捨て洗浄用具は、その表面に装飾物を含んでもよい。この装飾物は、いかなる寸法、形状、配置、色などのものであってもよい。装飾物は、デザイン、記号、キャラクター、しるしなどであってもよい。本発明の一実施形態では、装飾物は、使い捨て洗浄用具をどのように使用するかについての、小児に対する視覚的指示の一組、又は組の一部の形態であってもよい。視覚的指示の一組は、本明細書により詳細に説明される。
【００４４】
本発明の任意の一実施形態では、本発明の使い捨て洗浄用具は、使い捨て洗浄用具を小児の手にぴったりと取り付ける取り付け手段を含んでもよい。取り付け手段は、本発明の使い捨て洗浄用具を小児の手に取り外し可能に取り付けることができる、いかなる好適な手段であってもよい。好適な調整手段としては、ベルクロ（Velcro）（登録商標）などのフック・ループ式ファスナなど、伸縮部材、ボタン、ファスナ、タブ、再封止可能なテープ、ベルト、クリップ、再締着可能な接着剤、及びこれらの組み合わせなどが挙げられるが、これらに限定されない。
【００４５】
本発明の任意の一実施形態では、使い捨て洗浄用具が小児用洗浄ミットである場合、小児の手の異なる寸法にぴったり適合する調節手段を含んでもよい。調整手段は、内部に確定された容量の寸法を変化させて、小児の手の異なる寸法にぴったり適合させることができるのに好適な、いかなる手段であってもよい。好適な調整機構としては、ベルクロ（Velcro）（登録商標）などのフック・ループ式ファスナなど、まち（gussets）、鞍帯、伸縮部材、伸縮ストランド、ボタン、ファスナ、タブ、再封止可能なテープ、ベルト、クリップ、再締着可能な接着剤、及びこれらの組み合わせなどが挙げられるが、これらに限定されない。
【００４６】
本発明の代替実施形態では、使い捨て洗浄用具を含む材料、又は材料の一部分は、使用前及び使用中に小児の手に接着される、くっつく、又は貼り付くように選択される。例えば、図４のミット２１０はその内側表面に、使用前及び使用中に小児の手に接着される、くっつく、又は貼り付くような材料を任意に含んでもよい。この任意の接着は、多様な方法によって達成されてもよく、それには、接着剤、摩擦、静電気引力、使い捨て洗浄用具又はその一部分の、濡れた状態の小児の手の形状に対する順応又は収縮、小児の手と材料との間の流体、及びこれらの組み合わせが挙げられるが、これらに限定されない。この任意の接着に好適な材料としては、接着剤、ポリエチレン及び／又はポリプロピレンを含むフィルムなどのポリオレフィンフィルム、並びにこれらの組み合わせが挙げられるが、これらに限定されない。
【００４７】
本発明の使い捨て洗浄用具、小児用洗浄ミット、及び／又は不織布シート材料として使用するのに好適な材料に関する追加の情報は、以下：米国特許第３，８６２，４７２号（１９７５年１月２８日発行）；同第３，９８２，３０２号（１９７６年９月２８日発行）；同第４，００４，３２３号（１９７７年１月２５日発行）；同第４，０５７，６６９号（１９７７年１１月８日発行）；同第４，０９７，９６５号（１９７８年７月４日発行）；同第４，１７６，４２７号（１９７９年１２月４日発行）；同第４，１３０，９１５号（１９７８年１２月２６日発行）；同第４，１３５，０２４号（１９７９年１月１６日発行）；同第４，１８９，８９６号（１９８０年２月２６日発行）；同第４，２０７，３６７号（１９８０年６月１０日発行）；同第４，２９６，１６１号（１９８１年１０月２０日発行）；同第４，３０９，４６９号（１９８２年１月２５日発行）；同第４，６８２，９４２号（１９８７年７月２８日発行）；並びに同第４，６３７，８５９号；同第５，２２３，０９６号；同第５，２４０，５６２号；同第５，５５６，５０９号；及び同第５，５８０，４２３号、の特許に見出することができる。
【００４８】
好適な小児用洗浄ミット及び／又は不織布シート部材に関する追加の情報は、同時係属中の米国特許仮出願第    ／      ，      号（ドブリン（Dobrin）ら、２００３年３月１０日出願）、発明の名称「使い捨て不織布洗浄ミット（Disposable Nonwoven Cleansing Mitt）」（Ｐ＆Ｇ整理番号９１８１Ｐ）；及び同第    ／      ，      号（ベンジャミン（Benjamin）ら、２００３年３月１０日出願）、発明の名称「使い捨て不織布洗浄ミット（Disposable Nonwoven Cleansing Mitt）」（Ｐ＆Ｇ整理番号９１８０ＰＱ）に見出すことができる。
【００４９】
使い捨て洗浄用具、小児用洗浄ミット、不織布シート部材、及び不織布シート基材などのそれらの構成要素の製造は、本質的に本発明の部分を成さない。
【００５０】
使い捨て洗浄用具が作成される材料は、通常の使用中の破れに抵抗するのに十分な程強く、それでもなお小児の柔らかい皮膚に対して柔軟であるべきである。さらに、材料は非水溶性であるか、又は少なくとも小児が洗浄を行う持続時間、その形状を保持することが可能である必要がある。
【００５１】
本発明の一実施形態では、使い捨て洗浄用具は、天然繊維と合成繊維との混合物を含む。本発明の代替実施形態では、使い捨て洗浄用具は全体的に天然繊維を含んでもよく、別の代替実施形態では、全体的に合成繊維を含んでもよい。
【００５２】
本発明の一実施形態では、使い捨て洗浄用具が２つの不織布シート部材を含む場合、各不織布シート部材は、他の不織布シート部材とは異なる材料から作成される。本発明の別の代替実施形態では、使い捨て洗浄用具が２つの不織布シート部材を含む場合、２つの不織布シート部材は同じ材料から作成される。
【００５３】
好適な天然繊維としては、木材パルプ繊維などのセルロース繊維、綿、及びレーヨンなどが挙げられるが、これらに限定されない。好適な合成繊維としては、ポリエステル及びポリプロピレン繊維、ポリエチレン、ポリエーテル、ＰＥＴ、及びこれらの組み合わせなどの織物に一般に使用される繊維が挙げられるが、これらに限定されない。２成分ポリマー、又は単にバイコ（bico）ポリマー、又はシースポリマーを使用することも可能である。これらのバイコ（bico）ポリマーは、不織布シート部材の成分繊維として使用することができ、及び／又は不織布材料中に存在する他の繊維の結合剤として作用するために存在してもよい。良好な柔軟性を持つ好適な不織布としては、ポリプロピレン、ポリエチレン、セルロース、レーヨン、ポリエーテル、ＰＥＴ、２成分ポリマー、及びこれらの組み合わせを含む不織布材料が挙げられるが、これらに限定されない。
【００５４】
多様な作成方法が、使い捨て洗浄用具、及び／又は不織布シート部材を作成するのに使用できる。例えば、使い捨て洗浄用具は、エアレイイングなどの不織布乾燥形成技法、又は別の方法としては、クレンザー（cleanser）がそこから作成される連続ウェブの、抄紙機などでのウェットレイイングによって、作成することができる。他の不織布製造技法、例えば接着剤結合、メルトブローン、スパンボンド、カーディング、ニードルパンチ、水流交絡、及び積層などを含むが、これらに限定されない技法を使用してもよい。
【００５５】
本発明の使い捨て洗浄用具には、ゾーン活性化（zone activation）、リングロールセルフィング（ring rolling SELFing）などの物理的処理；使い捨て洗浄用具の一部又は全部を疎水性及び／又は親水性にするなどの化学的処理；加熱による繊維の柔軟化、熱接着などの熱処理；並びにこれらの組み合わせなどが挙げられるが、これらに限定されない多様な処理を施してもよい。
【００５６】
使い捨て洗浄用具、及び存在する場合は不織布シート部材が、２以上の基材又はウェブの積層体を含んでもよいことも、本発明の範囲内に含まれる。市販されている積層体又は専用のものは、本発明の範囲内に含まれるであろう。また、使い捨て洗浄用具、及び存在する場合は不織布シート部材は、平坦であるか又は非平坦であってもよい。非平坦な使い捨て洗浄用具、及び存在する場合は不織布シート部材、及び積層体の形成は、本発明の部分を何ら形成しない。以下の考察は系統的説明の便宜上のものであるが、本明細書で使用される使い捨て洗浄用具の種類を限定することを意図するものではない。
【００５７】
本発明の一実施形態では、使い捨て洗浄用具の表面は本質的に平坦である。本発明の別の実施形態では、クレンザーの表面は、任意に盛り上がった及び／又は低くなった部分を包含してもよい。これらは、ロゴ、しるし、商標、幾何学的パターン、小児用洗浄ミットが洗浄することが意図される表面（即ち、小児の体、顔など）の像の形態であってもよい。これらは、使い捨て洗浄用具の表面に不規則に配置されてもよく、又は何らかの形状の繰返しパターンであってもよい。これらは、使い捨て洗浄用具の表面の一面又は両面にあってもよい。一実施形態では、不織布シート部材の１つは、繰返しパターン、又は基材が交互に盛り上がった部分と低くなった部分とを包含する。使い捨て洗浄用具の一面内又はその表面のこの変化は、例えば、小児もしくは世話をする人に対して、使い捨て洗浄用具の意図される使用、小児がどのように小児用洗浄ミットを小児の手にはめるか、彼らが使用している使い捨て洗浄用具がどのブランドもしくは種類のものか、又はさらに小児を洗うことを助けるための情報を、小児もしくは世話をする人に伝達するために含まれてもよい。
【００５８】
本発明の別の実施形態では、使い捨て洗浄用具は生分解性である。例えば、クレンザーは、ポリエステルアミドなどの生分解性材料から作成することができる。
【００５９】
使い捨て洗浄用具の任意の一実施形態は、小児用洗浄ミットであり、第１及び第２のほぼ補完的な不織布シート部材を含む。第１及び第２の補完的な不織布シート部材は、いずれか好適な方式で互いに接合又は固着されてもよい。例えば、第１及び第２の不織布シート部材は、超音波結合、縫製、接着剤、機械的結合、溶融結合、熱又は熱接着、及びこれらの組み合わせで接合されてもよい。第１及び第２の不織布シート部材は、その第１、第２、及び上縁部のそれぞれで接合される。下縁部は、まったく固着されないか、又は部分的に固着されるかのいずれかであってよい。このようないずれかの部分的な固着は、小児がミットをはめることを制限するものではなく、ミットを小児の手に固定するのを助けるものであってよい。
【００６０】
使い捨て洗浄用具は、多様な寸法で製造できる。使い捨て洗浄用具は、典型的には小児による使用に好適になるような寸法を有する。例えば、図３の小児用洗浄ミット１１０は、下端部１６０及び上端部１５０の間で測定した長さで約１００ｍｍ〜約２００ｍｍ、側部１７０及び１８０の間で全幅約８０ｍｍ〜約１２５ｍｍを有する。小児用洗浄ミットの内側部分へ入るための開口は、約２０ｍｍ〜約１００ｍｍである。
【００６１】
（パーソナルケア組成物）
本発明の使い捨て洗浄用具によって放出可能に保持されたパーソナルケア組成物は、パーソナルケア組成物に従来使用されるものなど、多様な構成成分を含んでもよい。これらの任意成分は、小児の皮膚及び毛髪に適用するのに好適なものである必要がある。即ち、商品に組み込まれたときに、不適切な毒性、不適応性、刺激、不安定性、アレルギー反応性などを有さない、妥当な医学的又は配合者の判断の範囲内にある、人間の皮膚と接触して使用するのに好適なものであるべきである。
【００６２】
本発明の一実施形態では、パーソナルケア組成物は、ペースト又は乾燥した固体の形態である。組成物の約５０重量％超過の、水などの液体キャリアを含むパーソナルケア組成物が、本発明の範囲内にあるものの、あらゆる使い捨て洗浄用具がほぼ乾燥している、より好ましくは洗浄環境と接触する前、即ち小児が使い捨て洗浄用具を最初に水に浸すか又は別の方法で水と接触させる前は指触乾燥状態であることが好ましい。典型的には、このことから、水などの液体キャリアは、パーソナルケア組成物の約１０重量％以下、より好ましくは約７重量％以下である。
【００６３】
本発明の一代替実施形態では、使い捨て洗浄用具中に存在するパーソナルケア組成物の量は、好ましくは約１ｇｓｍ〜約２００ｇｓｍ、より好ましくは約１０ｇｓｍ〜約１７５ｇｓｍ、さらにより好ましくは約２０ｇｓｍ〜約１５０ｇｓｍの量で存在する。（不織布シート部材の１平方メートル当りのパーソナルケア組成物のグラム数）あるいは、各使い捨て洗浄用具は、１つの使い捨て洗浄用具当り、約１ｇ〜約２０ｇ、より好ましくは約１ｇ〜約１５ｇのパーソナルケア組成物を含有してもよい。
【００６４】
（界面活性剤）
本発明で使用されるパーソナルケア組成物は、１以上の界面活性剤を任意に含有してもよい。典型的には、任意の界面活性剤は、存在する場合、陰イオン性界面活性剤、両性界面活性剤、非イオン性界面活性剤、双極性界面活性剤、陽イオン性界面活性剤、及びこれらの組み合わせからなる群から選択される。
【００６５】
パーソナルケア組成物の界面活性剤は、発泡性又は非発泡性界面活性剤であってもよい。本明細書で使用するとき、「発泡性界面活性剤」は、水と混合されて機械的に攪拌されたときに、泡又は泡立ちを生成する界面活性剤を意味する。「非発泡性界面活性剤」は、同様の条件下でそのような泡又は泡立ちを何ら生成しない。しかしながら、洗浄の有効性を示すものとして向上された泡立ちが消費者にとって重要であることから、界面活性剤は泡立つことが好ましい。
【００６６】
本発明の組成物に有用な界面活性剤の非限定的な例が、「洗剤及び乳化剤（Detergents and Emulsifiers）」（マカッチャン（McCutcheon）、北米版（１９８６年）、アリュールドパブリッシング社（Allured Publishing Corporation））；「機能材料（Functional Materials）」（マカッチャン（McCutcheon）、北米版（１９９２年）；及び米国特許第３，９２９，６７８号（ラフリン（Laughlin）ら、１９７５年１２月３０日発行）に開示されている。
【００６７】
好適な界面活性剤のいくつかの非限定的な例としては、ラウロイルサルコシン酸アンモニウム、トリデセス硫酸ナトリウム、ラウロイルサルコシン酸ナトリウム、ラウレス硫酸アンモニウム、ラウレス硫酸ナトリウム、ラウリル硫酸アンモニウム、ラウリル硫酸ナトリウム、ココイルイセチオン酸アンモニウム、ココイルイセチオン酸ナトリウム、ラウロイルイセチオン酸ナトリウム、セチル硫酸ナトリウム、モノラウリルリン酸ナトリウム、ココグリセリルエーテルスルホン酸ナトリウム、ナトリウムＣ９〜Ｃ２２石鹸、ラウラミンオキシド及びココアミンオキシドなどのアミンオキシド、デシルポリグルコース、ラウリルポリグルコース、スクロースココエート、Ｃ１２〜１４グルコサミド、スクロースラウレート、脂肪族アミン、ジ脂肪族四級アミン、トリ脂肪族四級アミン、イミダゾリニウム四級アミン、ＰＥＧ８０ソルビタンラウレート、ＰＥＧ−１５０ジステアリン酸、ラウレス−１３カルボン酸ナトリウム、ラウロアンホジアセテート二ナトリウム（disodium lauroamphodiacetate）、ラウロアンホアセテートナトリウム、セチルジメチルベタイン、ココアミドプロピルベタイン、ココアミドプロピルヒドロキシスルタイン（cocoamidopropyl hydroxy sultaine）、及びこれらの組み合わせが挙げられる。
【００６８】
界面活性剤が存在する場合は、典型的には、好ましくはパーソナルケア組成物の約０．０１重量％〜約９９重量％、より好ましくは約０．５重量％〜約９７重量％、より好ましくは約１．０重量％〜約９８重量％の濃度で組成物中に使用される。
【００６９】
（補助剤成分）
本発明で使用されるパーソナルケア組成物は、１以上の補助剤成分を任意に含有してもよい。
【００７０】
ＣＴＦＡ化粧品成分ハンドブック（CTFA Cosmetic Ingredient Handbook）（第２版、１９９２年）は、スキンケア業界で一般に使用される、本発明で使用されるパーソナルケア組成物の補助剤成分として用いるのに好適な、多種多様の非限定的な化粧品成分、栄養補助成分、及び薬用成分を記載している。これらの成分類の例としては以下：酵素、吸収剤、審美的構成成分、香料、顔料、色素剤、着色剤、精油、皮膚感覚剤、抗ニキビ剤（例、レゾルシノール、イオウ、サリチル酸、エリスロマイシン、亜鉛など）、固化防止剤、消泡剤、防腐剤、調湿剤、ヘアコンディショナー、染料、抗菌剤（例、クオタニウム−１５、メチルパラペン、エチルパラペン、プロピルパラペン、ＤＭＤＭヒダントインなど）、酸化防止剤、グリセリン、結合剤、生物学的添加物、緩衝剤、充填剤、キレート剤、化学的添加物、溶媒、化粧用殺生剤（cosmetic biocides）、変性剤、外用鎮痛剤、組成物の膜形成特性及び実体性を助けるためのポリマー類などの膜形成剤又は材料（例、エイコセン及びビニルピロリドンのコポリマー）、保湿剤、不透明化剤、ｐＨ調整剤、加工助剤、還元剤、金属イオン封鎖剤、皮膚コンディショニング剤（種々の及び閉塞性のものを包含する保湿剤）、皮膚鎮静剤及び／又は治癒剤（例、パンテノール及び誘導体（例、エチルパンテノール）、アロエベラ、パントテン酸及びその誘導体、アラントイン、ビサボロール、及びグリシルリジン酸二カリウム、皮膚治療剤、結合剤、増粘剤、ヒドロコロイド、ゼオライト、並びにビタミン類及びその誘導体（例、トコフェロール、トコフェロールアセテート、ベータカロチン、レチノイン酸、レチノール、レチノイド、レチニルパルミテート、ナイアシン、ナイアシンアミドなど）のものが挙げられるが、これらに限定されない。使い捨て洗浄用具に放出可能に含有されるパーソナル洗浄組成物は、例えば水、アルコール、ポリオールなど、当該技術分野において既知のキャリア成分を含んでもよい。このようなキャリアは、皮膚又は毛髪に適用するのに好適な、１以上の適合する液体又は固体の増量希釈剤又はビヒクルを含むことができる。また、補助剤成分は、不織布シート上に堆積されるいずれか任意の界面活性剤とは別個の堆積物として、不織布シート部材に適用されることができる。
【００７１】
本明細書で有用な補助剤成分は、その治療的もしくは審美的効果、又はその仮定作用機序によって分類され得る。しかしながら、本明細書で有用な補助剤成分は、場合によっては、１超過の治療的もしくは審美的効果を提供することができ、又は１超過の作用機序によって機能し得ることが、理解されるべきである。したがって、本明細書における分類は簡便のために成され、構成成分をその特定の使用又は記載された使用に限定することを意図するものではない。また、使用可能の場合、構成成分の製薬上許容できる塩が、本明細書において有用である。
【００７２】
補助剤成分は、存在する場合、典型的にはそれぞれ組成物中に、パーソナルケア組成物の約０．０００１重量％〜約９９．９重量％、好ましくは約０．００１重量％〜約９９重量％、より好ましくは約０．０１重量％〜約９７重量％の濃度で使用される。
【００７３】
本発明の使い捨て洗浄用具を作成する際、パーソナルケア組成物は、不織布シート部材の１つの上に配置されるなど、使い捨て洗浄用具に放出可能に保持される必要がある。使い捨て洗浄用具又は不織布シート部材をパーソナルケア組成物と組み合わせる技法は、当該技術分野において周知である。パーソナルケア組成物を使い捨て洗浄用具部材と組み合わせる一般的方法の例としては、不織布シート部材をパーソナルケア組成物でコーティングする、組成物に浸漬する、浸す、組成物を転写する、及び／又はスプレーするなどを用いてもよい。パーソナルケア組成物は、使い捨て洗浄用具に、本発明の所望の効果を提供するのに十分な濃度で添加される。本発明のパーソナルケア組成物を使い捨て洗浄用具と組み合わせる便利な方法は、不織布シート部材が連続ウェブである間にパーソナルケア組成物を不織布シート材料に適用する方法である。適用は多くの様式である可能性があり、１回以上の、しかしそれに限定されない回数コーティングする、浸漬する、浸す、スプレーする、転写する、押し出すなどが挙げられる。一旦パーソナルケア組成物が適用されると、不織布シート部材は、所望の長さに切断されて使い捨て洗浄用具を形成し、次いで販売用に包装される。あるいは、パーソナルケア組成物は、不織布シート部材が形成された小児用洗浄ミットの一部分であるときに、不織不シート部材に添加されてもよい。
【００７４】
パーソナルケア組成物は、いずれの便利な様式で使い捨て洗浄用具に添加されてもよい。例えば、パーソナルケア組成物はすべてが共に混合されて、次いで不織布シート部材上にスプレーされることができ；各構成成分は不織布部材上に別個に堆積されることができ；又は構成成分の半分が共に混合されて、次いで不織布シート部材上に添加され、次に残りが共に混合されて不織布シート部材上にスプレーされることができる。
【００７５】
本発明の任意の一実施形態では、パーソナルケア組成物は、使い捨て洗浄用具の組み立て前にペーストの形状で不織布シート部材上に適用される。この任意の実施形態は、より好ましくは「ホットメルト」組成物である。ホットメルト組成物は、室温又は室温周辺で高い粘性を有し、より高い温度で溶融する（ほぼ液体になる）。このようなシステムは、組成物を粘性の低い状態（例、液体）で室温より高い温度で不織布シート部材に適用（例、コーティング、スプレー、押し出し）でき、次いで温度が下がるに従って組成物が高粘度のペースト又は固体になるため、使い捨ての実質的に乾燥した（又は指触乾燥状態）小児用洗浄ミットの加工において有利である。
【００７６】
一旦パーソナルケア組成物が使い捨て洗浄用具又は不織布シート部材に適用されると、例えば加熱によってパーソナルケア組成物から余分な水を除去するなどであるが、これに限定されない、いずれか従来の方法でさらに処理される。
【００７７】
（ｃ）視覚的指示
本発明の製品は、商品と関連付けられた一組の視覚的指示をさらに含む。本明細書で使用するとき、語句「関連付けられた」は、視覚的指示が、容器自体、使い捨て洗浄用具に直接印刷されている、及び／又は冊子、印刷広告、電子広告、及び／又は口頭を含むが、これらに限定されない異なる方法で提示され、製品を使用する一組の指示を小児に伝達するようにしていることを意味する。
【００７８】
一組の視覚的指示は、商品、より好ましくは商品が１以上の小児用洗浄ミットを包含するときに、その使い方を読めない小児に伝達するのに好適ないずれかの視覚的な伝達であってもよい。一組の視覚的指示は、写真が挙げられるがこれに限定されない、以下のもの：使い捨て洗浄用具を使用している小児の写真；小児又は擬人化された動物（図５〜図８参照）が使い捨て洗浄用具を使用している絵などの絵；周知のまんがのキャラクターが挙げられるがこれに限定されないまんが、周知のブランドのロゴなど、又は商品に関連付けて特別に作成されたキャラクター；矢印、印又は動作又は動きなどが挙げられるがこれらに限定されない記号；及びこれらの組み合わせ、などであるが、これらに限定されない絵文字及び／又は像を包含することができる。
【００７９】
一組の視覚的指示は、文字を読めない小児に製品の使用方法を伝達している限り、いかなる様式で配置されてもよい。典型的には、これは１以上の画像の形状である。配置は、例えば、単一の画像又は単一のまんがなどの、単一の画像又は絵の一組の視覚的指示を含んでもよい。図５は、一組の視覚的指示を含む単一の画像４００を図示している画像４００に示される視覚的指示は、水４１０の中にいて手に使い捨て洗浄用具４３０を持っている、擬人化された動物４２０、この場合はカエルを含む。一組の視覚的指示に図示される使い捨て洗浄用具は、容器内に存在するいずれかの使い捨て洗浄用具と同様の外観であることが好ましい。画像はさらに、カエル４２０が自身を洗い、自身の体の部分４４０を使い捨て洗浄用具４３０と接触させることで、使い捨て洗浄用具４３０を使って泡及び気泡４５０を生成していることを図示している。
【００８０】
本発明の任意の実施形態では、一組の視覚的指示は連続した一連のパネルであり、各パネルは、例えば異なるまんが、記号、絵、写真及びこれらの組み合わせを包含する。各パネルは、１以上の視覚的指示を包含してもよい。これらのパネルはいずれか好適な様式で配置されてもよく、それには垂直、水平、対角線、円形などが挙げられるが、これらに限定されない。この任意の実施形態の例は、図６、図７、図８、及び図９に見出すことができる。
【００８１】
図６では、パネル５００は、文字が読めない小児に使い捨て洗浄用具、この場合は小児用洗浄ミットの使い方を伝達する、連続した一連のパネルを含む一組の視覚的指示である。パネル５１０は、小児が手にミットをはめる場所と、小児に対する小児用洗浄ミットの正しい方向を伝達する。パネル５２０は、小児が小児用洗浄ミットを、例えばお風呂などの水の中に漬けるなどして水と接触させる必要があることだけでなく、水と組み合わせたときにパーソナルケア組成物が泡立ちを生成することも伝達する。パネル５２０はまた、パーソナルケア組成物が小児用洗浄ミットの一方の面だけに存在することも、小児に伝達する。また、パネル５２０は、小児に対する小児用洗浄ミットの正しい方向についての、パネル５１０での先の伝達を補足している。パネル５３０は、パーソナルケア組成物が泡立ちを生成し、小児用洗浄ミットの一方の面だけに存在することを再び伝達して、前のパネル５２０で伝達された情報を補足している。パネル５３０はさらに、小児が自身を洗うために、小児用洗浄ミットの泡立ちを生成する面で擦る、磨くなど、自身の体を接触させる必要があることを、小児に伝達する。パネル５３０のカエルのまんがキャラクターは、小児用洗浄ミットがお風呂又は類似の水に入っているときに使用するのに好適であることを、小児に伝達している。パネル５４０は、入浴を終了した後、小児用洗浄ミットを適切に廃棄する必要があることを、小児に伝達する。
【００８２】
図７は、図６の一組の視覚的指示の一部分、即ちパネル５２０及び５３０の繰返しパターンを包含する、小児用洗浄ミット５５０を示している。ミット５５０は典型的には、例えば、図６の一組の視覚的指示全体、又はパネル５１０及び５４０のみがその上に転写された容器と組み合わせて使用される。ミット５５０上のこれらのパネルは、ミット５５０の正しい使用について、小児に追加の補足を提供する。
【００８３】
図８では、パネル６００は、文字を読めない小児に使い捨て洗浄用具、この場合は小児用洗浄ミットの使い方を伝達する、一連の連続したパネルを含む視覚的指示の一組である。パネル６１０は、小児が手にミットをはめる場所と、小児に対する小児用洗浄ミットの正しい方向を伝達する。パネル６２０は、小児が小児用洗浄ミットを、例えばお風呂などの水の中に漬けるなどして水と接触させる必要があることを伝達する。パネル６２０はまた、パーソナルケア組成物が小児用洗浄ミットの一方の面だけに存在することも、小児に伝達する。また、パネル６２０は、小児に対する小児用洗浄ミットの正しい方向についての、パネル６１０での先の伝達を補足している。パネル６３０はさらに、小児が自身を洗うために、小児用洗浄ミットの泡立ちを生成する面で擦る、磨くなど、自身の体を接触させる必要があることを、小児に伝達する。また、パネル６３０はさらに、小児に対する小児用洗浄ミットの正しい方向についての、パネル６１０での先の伝達を補足している。パネル６３０のカエルのまんがキャラクターは、小児用洗浄ミットがお風呂又は類似の水に入っているときに使用するのに好適であることを、小児に伝達している。パネル６４０は、入浴を終了した後、小児用洗浄ミットを適切に廃棄する必要があることを、小児に伝達する。
【００８４】
図９において、パネル７００は、文字を読めない小児に使い捨て洗浄用具、この場合は小児用洗浄ミットの使い方を伝達する、一連の連続したパネルを含む一組の視覚的指示である。パネル７１０は、小児が小児用洗浄ミットを、例えばお風呂などの水の中に漬けるなどして水と接触させる必要があることを、視覚的に伝達する。パネル７１０はまた、小児がどのように使い捨て洗浄用具を浸漬させるかを、矢印を用いて視覚的に伝達している。パネル７２０は、パーソナルケア生成物が泡立ちを生成することを視覚的に伝達している。さらに、パネル７２０は、小児が使い捨て洗浄用具を水と接触させて泡を生成した後に、それを絞るか何らかの圧縮力を与える必要があることを、手及び動作線を用いて視覚的に伝達している。パネル７３０のカエルのまんがのキャラクターは、小児に対して、小児が自身を洗うために、小児用洗浄ミットで擦る、磨くなど、自身の体を接触させる必要があることを、小児に伝達する。パネル７３０はさらに、使い捨て洗浄用具が小児の全身に使用するのに好適であることを、小児に伝達する。パネル７４０は、入浴を終了した後、小児用洗浄ミットを適切に廃棄する必要があることを、小児に伝達する。
【００８５】
一組の視覚的指示はまた、図５〜図９のカエルなどのキャラクターが、結果として洗う又は入浴することが必要になる活動を行っているところが図示された、物語を含むこともできる。そのような活動の代表的であるが非限定的な例としては、走る、馬に乗る、泥遊びをする、ボール遊びをする、かくれんぼをする、又は文字を読めない小児が行うかもしくは関連し得るような他の類似の活動が挙げられる。このようにして、商品によって、一組の視覚的指示で作られた物語に関して世話をする人が小児と交流できるようにしてもよく、商品の相乗効果によって、入浴及び洗浄のトレーニングに関して重要な教えを世話をする人が小児に与える機会を提供してもよい。
【００８６】
一組の視覚的指示は、商品を使用する際に小児の興味を増大させることができ、また世話をする人が積極的に小児と交流する機会を増加できる、キャラクターの図案を任意に含んでもよい。本明細書で使用するとき、用語「キャラクターの図案」は、擬人化された画像、特に、人間の動機付け、特徴、又は挙動を無生物の物体、動物、自然現象、おもちゃ、まんがのキャラクターなどに見立てた、人間の形又は外見を有する又は示唆する画像を包含する画像を指すのに使用される。理想的には、キャラクターの図案は、小児の水着、おもちゃ、衣服、おむつなどに好適であり、小児が商品を使用する動機付けに利用することができる。その目的のため、キャラクターの図案は、メディア、広告で人気のある、又は特定の文化で周知のキャラクターと関連付けることができる。理想的には、小児又は世話をする人が好意を持ち、一体感を持ちたいと思うキャラクターである。理想的には、小児は、自分自身がそのキャラクターになり代わることを想像できるか、キャラクターの動作／態度を真似ることができる。
【００８７】
一組の視覚的指示におけるキャラクターの図案の役割は、小児を促して、自身を洗う又は他の身の回りのケアを行うなどの行動へのやる気を起こさせることであり得る。キャラクターの図案は、トレーニング期間中の小児に、楽しみの源及び安心感、またストレスを低減して非競争的なやり方で小児と結び付き得る仲間又は友達を提供してもよい。キャラクターはまた、小児が非競争的又は威嚇的でないやり方で自身をきれいにする新しい技術及び行動を学習しているときに、陽性強化及び励ましを小児に提供してもよい。
【００８８】
好適なキャラクターの図案としては、腕、脚、顔の造作などの人間の特徴を有して提供できる、又はそれらを有して提供できない、動物、人、無生物、自然現象、まんがのキャラクターなどが挙げられる。キャラクターの図案は、小児が認識できるまんがのキャラクターなど、小児に馴染みがあるものであることが望ましい場合がある。キャラクターの図案は、例として動物、おもちゃ、実施許諾を得たキャラクターなどを含み得る、少なくとも小児が共感できる種類のものである必要がある。キャラクターの図案は、人に似た特徴、人に似た表情、衣装、能力などを含むことによって、小児にとってより魅力的かつ親しみのあるものにすることができる。任意の一実施形態では、キャラクターが、カエルの水かきのある手など、トレーニングを補助できるような絵における際立った特徴（又は複数の特徴）を有することが望ましい。実例として、動物のキャラクターの図案は、笑っている、衣服を着ている、スポーツをしている、釣りをしている、車を運転している、おもちゃで遊んでいるなどで表されることができる。特定の実施形態では、望ましくはキャラクターの図案は、親しみのある、好意的な、怖がらせない、間抜けな、自立した、鼓舞する、活動的な、表情豊かな、勇敢な、及び／又は辛抱強いと説明し得る外見を伝えるように作成されることができる。例えば、図５のカエル４００は、そのようなキャラクターの図案の一例であり、小児を、入浴して自身をきれいにする方法を学習する気にさせることを意図している。カエルの表情は、集中して自身をきれいにして、自立でき、それでもなお笑って楽しんでいるということを、明らかに示している。また、キャラクターの表情は、微妙過ぎて小児が理解できないことがないように、誇張されることが好ましい。
【００８９】
さらに、物語の図案とキャラクターの図案との組み合わせによって、小児が入浴プロセスにより興味を持つようになり、従って向上した結果につながると考えられる。理論によって制限されることを望まないが、商品の３つの要素が共に働いて、文字を読めない小児に対して、適切な道具、それらの道具の使用法、及び小児が自身をきれいにするやり方を学べるようにする陽性強化を提供すると考えられる。
【００９０】
任意の一実施形態では、一組の視覚的指示は、一連の小児用消費者製品、特に個人洗浄用製品などと関連付けられたキャラクターの図案を任意に含んでもよい。キャラクターは、家族、グループ、チームなどの１つであって、その各メンバーが、例えば消費者製品、洗髪などの洗浄作業、年齢層、幼児の成長の過程などと関連付けてデザインされたものであってもよい。あるいは、家族、グループ、チームなどのキャラクターすべてが、消費者製品の全範囲と関連付けてデザインされてもよい。
【００９１】
小児がキャラクターを消費者製品、洗浄作業などと関連付けることによって、キャラクターが意図される方法で消費者製品を使用しているのを想像することにより、小児がそれを思い浮かべるのが促され、その方法が提供される。さらに、この教示は小児が想像力を使うことによるため、消費者製品の使用方法を従来のように親が指導することに関連する否定的な意味がまったくない。親が口やかましく言って小児が本当はやりたくないことをやらされる代わりに、小児は、新しい仲間又は友達とやり取りをして行動を真似る、自らの学習的遊びの一部として、積極的に消費者製品を使用するようになる。小児とキャラクターとの間のやり取りは、小児の想像力の限界によってのみ制限される。そのときの世話をする人又は親の役割は、遊ぶのを止めさせる親として小児に認知されるのではなく、小児が想像力でキャラクターと遊ぶことを積極的に促して、消費者製品を正しく使用させるという役割になる。遊びは積極的に促され、新しいスキルは遊び、「途切れない遊び」の一部になる。製品の使用が本質的に遊びであるため、小児は熱心に商品を使用してスキルを学ぶ。
【００９２】
家族又はグループのキャラクターの図案が、消費者製品、特に個人洗浄用製品などのシステムを通して小児を成長させるのに使用され得る。本実施形態では、家族又はグループの各キャラクターは、異なる小児のグループの興味を引くように作られる。これらのグループは、年齢、成長過程、地域などに基づいてもよい。あるいは、単一のキャラクターが、異なる年齢、成長過程などの小児に対して異なる、一連の消費者製品の特定のグループの消費者製品用に作られてもよい。この場合、例えば、消費者製品によって及び製品がどのグループの小児による使用を意図しているかによって、キャラクターは異なる年齢であってもよい。
【００９３】
一組の視覚的指示は、刺激を提供することにより、洗浄用具の正しい使用などの所望の行動を可能にし、促すように作用する。キャラクターを含有する一組の視覚的指示の場合、刺激は楽しみ及び友達である。
【００９４】
（小児に自身の洗い方を教える方法）
本発明はまた、その範囲内に、文字を読めない小児に自身の洗い方を教える方法を含む。本方法は、本明細書に記載の商品を小児に供給するステップを含む。本発明の方法はまた、小児に水の源を提供する、小児に洗面器を提供する、小児にバスタブを提供する、小児をバスタブ内に入れる、小児をバスタブに入らせる、及びこれらの組み合わせを含むがこれらに限定されない、追加の方法ステップも含む。
【００９５】
理論に制限されることを望むものではないが、商品の３つの要素が共に働いて、文字を読めない小児に対して、適切な道具、それらの道具の使用法、及び小児が自身をきれいにするやり方を学べるように陽性強化すると考えられる。
【実施例】
【００９６】
（実施例１）
商品は、
（ａ）米国特許出願公開第２００２／００６４３２３号（U.S.Patent Application Publication No.2002/0064323）（チン（Chin）、２００２年５月３０日発行）に記載の容器と；
（ｂ）６０ｇｓｍのポリエステル不織嵩高詰綿材料（ベルギー、モールベク（Meulebeke Belgium）のリベルテックス（Libeltex）から入手可能なプロエフ（Proef）１２９７）を含む、１０５ｍｍ×１４０ｍｍの矩形の洗浄用具であって、嵩高詰綿材料は、５０ｇｓｍのＢＣ２０（フランスのローディア（Rhodia）から入手可能）である、パーソナルケア組成物を放出可能に保持する洗浄用具と；
（ｃ）図５に図示される一組の視覚的指示と
を含む。
【００９７】
（実施例２）
一組の視覚的表示が図９に図示したようなものであることを除いて実施例１に従った商品。
【００９８】
（実施例３）
洗浄用具が２層の積層体であることを除いて実施例１に従った商品。積層体の第１の層は、４０ｇｓｍのＰＥＴスパンレースである。一方、積層体の第２の層は６０ｇｓｍのポリエステル不織嵩高詰綿材料（ベルギー、モールベク（Meulebeke Belgium）のリベルテックス（Libeltex）から入手可能なプロエフ（Proef）１２９７）である。嵩高詰綿材料は、２５ｇｓｍのＢＣ２０（フランスのローディア（Rhodia）から入手可能）である、パーソナルケア組成物を放出可能に保持する。
【００９９】
（実施例４）
容器（ａ）が米国意匠特許第４２１，９０１号（ヒル（Hill）、２０００年３月２８日発行）に記載のものであることを除いて実施例１に従った商品。
【０１００】
（実施例５）
商品は、
（ａ）米国特許出願公開第２００２／００６４３２３号（US Patent Application Publication No.2002/0064323）（チン（Chin）、２００２年５月３０日発行）に記載の容器と；
（ｂ）ミットであって、６０ｇｓｍのポリエステル不織嵩高詰綿材料（ベルギー、モールベク（Meulebeke Belgium）のリベルテックス（Libeltex）から入手可能なプロエフ（Proef）１２９７）である第１の部材、及び３部材の積層体である第２の部材を含む洗浄用具であって、３部材の積層体は９０ｇｓｍの２層伸縮性積層体、即ち、米国バージニア州リッチモンド（Richmond)のトレデガー（Tredegar）から入手可能な２５９−５０−３、及び米国テネシー州ナッシュビル（Nashville）のＢＢＡから入手可能な３０ｇｓｍの不織布、００８ＹＬＣＯ０９Ｕを含有し、嵩高詰綿材料は、８５ｇｓｍのＢＣ２０（フランスのローディア（Rhodia）から入手可能）である、パーソナルケア組成物を放出可能に保持する洗浄用具と；
（ｃ）図６に図示される一組の視覚的指示と
を含む。
【０１０１】
（実施例６）
一組の視覚的表示が図８に示したものであることを除いて実施例５に従った商品。
【０１０２】
（実施例７）
小児用洗浄ミットが、同時出願の米国特許仮出願第    ／      ，      号（ベンジャミン（Benjamin）ら、２００３年３月１０日出願）、発明の名称「使い捨て不織布洗浄ミット（Disposable Nonwoven Cleansing Mitt）」（Ｐ＆Ｇ整理番号９１８０ＰＱ）の洗浄ミットであることを除いて、実施例５に従った商品。
【０１０３】
本発明の特定の実施形態を例示し、記載してきたが、様々なその他の変更及び修正を、本発明の精神及び範囲から逸脱することなく行うことが可能であることは、当業者には明白であろう。したがって、本発明の範囲内にあるそのようなすべての変更及び修正を、添付の特許請求の範囲で扱うものとする。
【図面の簡単な説明】
【０１０４】
【図１】容器の一実施形態を図示。
【図２】使い捨て洗浄用具の一実施形態を図示。
【図３】使い捨て不織布小児用洗浄ミットの一実施形態を図示。
【図４】使い捨て不織布小児用洗浄ミットの別の代替実施形態を図示。
【図５】一組の視覚的指示の一実施形態を図示。
【図６】一組の視覚的指示の代替実施形態を図示。
【図７】図６の一組の視覚的指示の一部分を有する使い捨て不織布小児用洗浄ミットの一実施形態を図示。
【図８】一組の視覚的指示の別の代替実施形態を図示。
【図９】一組の視覚的指示の別の代替実施形態を図示。
【図１】
2006514865.tif 000003
【図２】
2006514865.tif 000004
【図３】
2006514865.tif 000005
【図４】
2006514865.tif 000006
【図５】
2006514865.tif 000007
【図６】
2006514865.tif 000008
【図７】
2006514865.tif 000009
【図８】
2006514865.tif 000010
【図９】
2006514865.tif 000011
【国際調査報告】
2006514865.tif 000012
2006514865.tif 000013